(57)【要約】      （修正有）【課題】無断開封が困難であるとともに、一度開封後も容器本体と蓋体とが密なる嵌合状態を保って密封を繰り返すことができる密封容器を提供する。【解決手段】容器本体１の開放部の外周部には、蓋体２と係合する凸条部３と蓋体２の外周縁６が導入される環状溝部４が一体に形成され、前記蓋体２には、内周縁に前記容器本体１の凸条部３に係合する係合凹部４と前記容器本体１の環状溝部４に導入されて該環状凹部の内周壁４ａに密着される外周縁６が一体に形成されてなり、前記容器本体１の環状溝部４の外周壁４ｂの一部に切除部が形成されてなる。【選択図】図４
0003220997.tif 000002
【実用新案登録請求の範囲】
【請求項１】
上方開放の容器本体と、該容器本体の上方開放部に嵌合される蓋体とからなり、前記容器本体の上方開放部の外周部には、蓋体と係合する凸条部と蓋体の外周縁を導入する環状溝部が一体に形成され、前記蓋体には、内周縁に前記容器本体の凸条部に係合する係合凹部と前記容器本体の環状溝部に導入されて該環状溝部の内周壁に密着される外周縁が一体に形成されてなり、前記容器本体の環状溝部の外周壁の一部に切除部が設けられてなることを特徴とする密閉容器。
【請求項２】
前記容器本体の凸条部の厚さを容器本体を構成する筒部の厚さよりも厚く形成したことを特徴とする請求項１に記載の密封容器。
【考案の詳細な説明】
【技術分野】
【０００１】
本考案は、食品等を収納する密封容器に係り、容器本体と蓋体とからなり、無断開封が困難であるとともに、一度開封後も容器本体と蓋体とが密なる嵌合状態を保って密封を繰り返すことができる密封容器に関する。
【背景技術】
【０００２】
従来、食品を収納する密封容器として、上方に開口部を有した容器本体と、該容器本体の開口部に着脱可能に嵌合する蓋体とからなる密閉容器において、前記容器本体は、開口部の外周縁に前記蓋体を着脱可能に嵌合する係止爪部と蓋体の周縁に設けた係止鍔を支持する環状溝部を一体に形成し、該環状溝部の一部に設けた開口凹部に、前記蓋体の無断開封を防止する開閉操作片を一体に設けてなり、前記蓋体は、容器本体の開口部を閉口する蓋部の内周縁に前記容器本体の開口部に設けた係止爪と嵌合する係合部と、前記容器本体の環状溝部に嵌る平坦な係止鍔部を一体に設けてなり、前記容器本体の開口部に設けた環状溝部に嵌合した蓋体の開封は、環状溝部の開口凹部に設けた開閉操作片の一部を破壊し、開口凹部を開封して蓋体の係止鍔部の一部を露出させ、該露出部分の係止鍔部を上方に押し上げることにより、蓋体を容器本体から取り外す密封容器が提案されている（特許文献１）。
【先行技術文献】
【特許文献】
【０００３】
【特許文献１】特許第６１６２８４２号公報
【考案の概要】
【考案が解決しようとする課題】
【０００４】
本考案は無断開封が困難であるとともに、一度開封後も容器本体と蓋体とが密なる嵌合状態を保って密封を繰り返すことができる密封容器を提供することを目的とする。
【課題を解決するための手段】
【０００５】
前述した目的を達成するために、本考案の密閉容器は、上方開放の容器本体と、該容器本体の上方開放部に嵌合される蓋体とからなり、前記容器本体の上方開放部の外周部には、蓋体と係合する凸条部と蓋体の外周縁を導入する環状溝部が一体に形成され、前記蓋体には、内周縁に前記容器本体の凸条部に係合する係合凹部と前記容器本体の環状溝部に導入されて該環状溝部の内周壁に密着する外周縁が一体に形成されてなり、前記容器本体の環状溝部の外周壁の一部に切除部が形成されてなることを特徴とする（請求項１）。
【０００６】
前記構成により、容器本体の上方開放部に蓋体が嵌合される。本考案によれば、容器本体の凸条部が蓋体の内周縁の係合凹部に係合される。同時に、容器本体の環状溝部には蓋体の外周縁が導入されて該外周縁が環状溝部の内周壁に密着させられる。
【０００７】
さらに、容器本体の環状溝部の外周壁に切除部を形成した構成であるため無断開封が困難である。さらにまた、容器本体と蓋体との密着部分が増大されて一度開封後も容器本体と蓋体との密なる嵌合状態を保ち密封状態を維持することができる。
【０００８】
本考案の他の一実施例は、前記容器本体の凸条部の厚さを容器本体の筒部の厚さよりも厚く形成したことを特徴とする（請求項２）。
【０００９】
この実施の一形態によれば、容器本体の凸条部と蓋体の係合凹部との間の密着面積がさらに増大されて、無断開閉が困難になるとともに一度開封後の密封も容器本体と蓋体との密なる嵌合状態が維持される。
【考案の効果】
【００１０】
本考案の密封容器によれば、無断開封が困難であるとともに、一度開封後も容器本体と蓋体とが密なる嵌合状態で保って密封操作を繰り返すことができる。
【００１１】
以上、本考案について簡潔に説明した。
【図面の簡単な説明】
【００１２】
【図１】本考案の実施形態による密封容器の正面図である。
【図２】本考案の実施形態による容器の分解斜視図である。
【図３】図１のＸ−Ｘ線断面図である。
【図４】図３のＢ部拡大図である。
【考案を実施するための形態】
【００１３】
以下、本考案の実施の形態による密封容器を図面を参照して説明する。図面は本考案の一実施形態による密封容器Ａの構成を示す。この密封容器Ａは、上方開放の容器本体１と、該容器本体１の上方開放部に嵌合される蓋体２とから構成される。
【００１４】
前記容器本体１の開放部の外周部には、蓋体２と係合する凸条部３が形成される。図面実施例では、該凸条部３は容器本体１を構成する筒部１ａの厚さよりも厚く形成されている。
【００１５】
さらに、容器本体１の開放部の外周部には、蓋体２の外周縁６を受入れる環状溝部４が一体に形成される。該環状溝部４は内周壁４ａ、外周壁４ｂ及び底部４ｃで構成されている。
【００１６】
なお、指の挿入などによる無断開封を困難にするためには、前記環状溝部４の外周壁４ｂの高さｈをできる限り高めて前記環状溝部４を深く形成することが好ましい。
【００１７】
つぎに、蓋体２には、内周縁に前記容器本体１の凸条部３に係合する係合凹部５と前記容器本体１の環状溝部４に導入される外周縁６が一体に形成される。
【００１８】
さらに、前記容器本体１を形成する環状溝部４の外周壁４ｂの一部に切除部７が形成される。
【００１９】
前記切除部７は、前記容器本体１を構成する環状溝部４の外周壁４ｂの一部分を開放可能に形成したものである。例えば、切除部７の両端部７ａが前記容器本体１の外周壁４ｂに切り離し可能に連結され、下辺部７ｂが前記容器本体１の外周壁４ｂにヒンジ連結されて形成される。
【００２０】
上記構成の切除部７は、蓋体１の開封に当たっては、まず、切除部７の両端部７ａを容器本体１の外周壁４ｂから切り離す。つぎに下辺部７ｂのヒンジ連結を中心に切除部７の上部を手前に引き起こす。その結果、容器本体１の環状溝部４内の前記蓋体２の外周縁６の一部が露見する。その後、露見した蓋体２の外周縁６に指を掛けて上方に持ち上げて蓋体２を開放することができる。
【産業上の利用可能性】
【００２１】
本考案の密封容器によれば、無断開封が困難であるとともに、一度開封後も容器本体と蓋体とが密なる嵌合状態を保って密封を繰り返すことができ食品等の収納容器として有用である。
【符号の説明】
【００２２】
１    容器本体
１ａ  筒部
２    蓋体
３    凸条部
４    環状溝部
４ａ  内周壁
４ｂ  外周壁
５  係合凹部
６  外周縁
７  切除部
【図１】
0003220997.tif 000003
【図２】
0003220997.tif 000004
【図３】
0003220997.tif 000005
【図４】
0003220997.tif 000006